(57)【要約】【課題】組み立てが容易であり、また消費者が保護シートを交換する場合にも保護シートの固定が容易である化粧用コンパクトケースを提供すること。【解決手段】化粧料収容部を有するケース本体２と、蓋体５と、化粧料の蓋体への付着を防止する保護シート６とを備えた化粧用コンパクトケース１であって、保護シート６は、化粧料収容部の上面を覆う本体部分６１と、本体部分から突出する取り付け片６２とを有し、ケース本体２は、取り付け片が挿入されるシート挿入部７を有し、シート挿入部７は、一方向に長い形状の挿入口７１と、前記一方向と直交する方向における幅が該挿入口の同方向の幅よりも大きい内部空間７２とを有しており、取り付け片６は、内部空間７２に配された部分に、取り付け片６が突出方向の２箇所以上で折り曲げられて形成された抜け防止部６０又は取り付け片６の一部が突出方向と交差する方向に曲げられて形成された抜け防止部を有している。【選択図】図４
2015226726.tif 000002
【特許請求の範囲】
【請求項１】
化粧料収容部を有するケース本体と、蓋体と、化粧料の蓋体への付着を防止する保護シートとを備えた化粧用コンパクトケースであって、
前記保護シートは、前記化粧料収容部の上面を覆う本体部分と、該本体部分から突出する取り付け片とを有し、
前記ケース本体は、前記取り付け片が挿入されるシート挿入部を有し、該シート挿入部は、一方向に長い形状の挿入口と、前記一方向と直交する方向における幅が該挿入口の同方向の幅よりも大きい内部空間とを有しており、
前記取り付け片は、前記内部空間に配された部分に、該取り付け片がその突出方向の２箇所以上で折り曲げられて形成された抜け防止部又は該取り付け片の一部が該突出方向と交差する方向に曲げられて形成された抜け防止部を有している、化粧用コンパクトケース。
【請求項２】
前記取り付け片は、前記内部空間に配された部分に、該取り付け片がその突出方向の２箇所で折り曲げられて形成された抜け防止部を有し、該抜け防止部は、第１及び第２の折り返し部を有している、請求項１に記載の化粧用コンパクトケース。
【請求項３】
前記抜け防止部においては、前記取り付け片が、第１折り返し部と第２折り返し部との間の第２領域が第１折り返し部より基端側の第１領域と第２折り返し部より先端側の第３領域との間に位置するように、３つ折りされている、請求項２に記載の化粧用コンパクトケース。
【請求項４】
前記第３領域の端部が、前記第１領域における、第１折り返し部から基端側に離間した部位に当接しており、前記取り付け片が、当該当接部位、第１折り返し部及び第２折り返し部を３つの角部とする断面３角形状の筒状部を形成している、請求項３に記載の化粧用コンパクトケース。
【請求項５】
前記抜け防止部は、前記取り付け片の一部が、前記突出方向と交差する方向に曲げられて形成された環状部である、請求項１に記載の化粧用コンパクトケース。
【請求項６】
前記取り付け片は、該取り付け片における他の部位に係合して、前記抜け防止部の形態を維持する係止片を備えている、請求項１〜５の何れか１項に記載の化粧用コンパクトケース。
【請求項７】
ケース本体と蓋体とを備えた化粧用コンパクトケースに取り付けられて用いられる、化粧料の蓋体への付着を防止する保護シートであって、
前記保護シートは、前記ケース本体のシート挿入部に挿入される取り付け片を有し、該取り付け片に、該取り付け片がその突出方向の２箇所以上で折り曲げられて形成された抜け防止部、又は該取り付け片の一部が該突出方向と交差する方向に曲げられて形成された抜け防止部を有している、保護シート。
【発明の詳細な説明】
【技術分野】
【０００１】
本発明は、化粧用コンパクトケース及び保護シートに関する。
【背景技術】
【０００２】
ファンデーション、チーク、アイシャドウ等の化粧料を収容する化粧用コンパクトケースとして、化粧料収容部を有するケース本体と、ケース本体に開閉可能に取り付けられた蓋体と、化粧料の蓋体への付着を防止する保護シートとを備えたものが知られている。
【０００３】
また、保護シートを、紛失や落下を防止するために化粧用コンパクトケース内に固定することも行われており、その固定方法として種々のものが提案されている。
例えば、ケース本体に形成した皿収容部に化粧料収容皿を配置して化粧料収容部とするとともに、保護シートの一部を、皿収容部及び化粧料収容皿の何れか一方又は双方に接着剤で固定する方法があり、特許文献１には、保護シートの挿入片を皿収容部と化粧料収容皿の底部で挟持するコンパクト容器が記載されている。
【０００４】
また、特許文献２には、化粧料収容皿の支持枠に膨出部と平坦な上壁とを備え、膨出部の所定の箇所に下面をえぐった防漏壁が設けられ、膨出部と上壁との間にスリットが設けられている化粧用コンパクトケースが記載されており、同文献２の化粧用コンパクトケースにおいては、化粧料収容皿を覆うカバーシート（保護シート）における、先端両側に係止片を有する支持部を湾曲させて前記スリットに挿入することにより、該カバーシートをスリットに取り付け可能である。
また、特許文献３には、容器本体内に中枠を嵌合して、化粧料収容部と保護シート収容部を形成するとともに、保護シートを、容器本体と中枠の保護シート収容部の側端部とで挟持して固定したものが記載されている。
【先行技術文献】
【特許文献】
【０００５】
【特許文献１】特開２００４−２５５０６１号公報
【特許文献２】特開２００２−６５３４８号公報
【特許文献３】実開平３−９９５０８号公報
【発明の概要】
【発明が解決しようとする課題】
【０００６】
しかし、特許文献１の技術は、保護シートを貼り付ける際の位置決めが難しく、保護シートが曲がった状態に固定されやすい。
また、保護シートを接着剤で固定する場合は、シートの接着工程に手間がかかるため、化粧用コンパクトケースの製造効率が悪い。また、接着剤で固定した保護シートが破断したり劣化したときに、元のシートを取り外して新しいシートを取り付けることも困難である。
また、特許文献２の技術は、化粧料収容皿及びケース本体とは別の部品である支持枠が必要であるため、製造コストの削減の点で好ましくない。また、特許文献３の技術は、保護シートを挟持固定するため、容器本体と中枠を複雑な構造にする必要があり、またコンパクト容器の組立も複雑である。
【０００７】
本発明の課題は、前述した従来技術が有する欠点を解消し得る、化粧用コンパクトケース及び保護シートを提供することにある。
【課題を解決するための手段】
【０００８】
本発明は、化粧料収容部を有するケース本体と、蓋体と、化粧料の蓋体への付着を防止する保護シートとを備えた化粧用コンパクトケースであって、前記保護シートは、前記化粧料収容部の上面を覆う本体部分と、該本体部分から突出する取り付け片とを有し、前記ケース本体は、前記取り付け片が挿入されるシート挿入部を有し、該シート挿入部は、一方向に長い形状の挿入口と、前記一方向と直交する方向における幅が該挿入口の同方向の幅よりも大きい内部空間とを有しており、前記取り付け片は、前記内部空間に配された部分に、該取り付け片がその突出方向の２箇所以上で折り曲げられて形成された抜け防止部、又は該取り付け片の一部が該突出方向と交差する方向に曲げられて形成された抜け防止部を有している、化粧用コンパクトケースを提供するものである。
【０００９】
本発明は、ケース本体と蓋体とを備えた化粧用コンパクトケースに取り付けられて用いられる、化粧料の蓋体への付着を防止する保護シートであって、前記保護シートは、前記ケース本体のシート挿入部に挿入される取り付け片を有し、該取り付け片に、該取り付け片がその突出方向の２箇所以上で折り曲げられて形成された抜け防止部、又は該取り付け片の一部が該突出方向と交差する方向に曲げられて形成された抜け防止部を有している、保護シートを提供するものである。
【発明の効果】
【００１０】
本発明の化粧用コンパクトケースは、組み立てが容易であり、また化粧用コンパクトケースの使用者（消費者）が保護シートを交換する場合にも保護シートの固定が容易である。
本発明の保護シートは、ケース本体のシート挿入孔への挿入が容易であり、ケース本体に容易に固定することができるとともに、シート挿入孔からの抜けも生じにくい。
【図面の簡単な説明】
【００１１】
【図１】本発明の第１実施形態に係る化粧用コンパクトケースの、ケース本体に、化粧料収容皿及び保護シートを取り付ける前の状態を示す斜視図である。
【図２】図１に示す化粧用コンパクトケースの、ケース本体に、化粧料収容皿及び保護シートを取り付けた後の状態を示す斜視図である。
【図３】図２のIII−III線に沿う断面を一部省略して示す拡大断面図である。
【図４】図３の一部を更に拡大して示す部分拡大断面図である。
【図５】図１に示す化粧用コンパクトケースに用いた化粧料収容皿をその底部側から視た斜視図である。
【図６】図１に示す化粧用コンパクトケースに用いた保護シートを示す図で、（ａ）は、折り畳まれた部分を延ばした状態として示す平面図、（ｂ）は、取り付け片を複数個所で折り返して折り畳んだ状態を示す平面図である。
【図７】図１に示す化粧用コンパクトケースのケース本体における、化粧料収容部及びシート挿入部付近を示す平面図である。
【図８】図１に示す化粧用コンパクトケースのシート挿入部に、保護シートの取り付け片を挿入する様子を示す模式断面図である。
【図９】本発明の保護シートの他の例を示す図で、（ａ）は、折り畳まれた部分を延ばした状態として示す平面図、（ｂ）は、取り付け片を複数個所で折り返して折り畳んだ状態を示す平面図である。
【図１０】本発明の第２実施形態に係る化粧用コンパクトケースの、ケース本体に、化粧料収容皿及び保護シートを取り付ける前の状態を示す斜視図（図１相当図）である。
【図１１】図１０に示す化粧用コンパクトケースに用いた化粧料収容皿をその底部側から視た斜視図である。
【図１２】本発明の第２実施形態に係る化粧用コンパクトケースの図４相当図である。
【図１３】本発明の第３実施形態の化粧用コンパクトケースを示す断面図（図３相当図）である。
【図１４】図１３に示す化粧用コンパクトケースに用いた保護シートを示す斜視図である。
【図１５】本発明の更に別の実施形態の化粧用コンパクトケースを示す断面図（図４相当図）である。
【図１６】本発明の更に別の実施形態の化粧用コンパクトケースを示す断面図（図４相当図）である
【発明を実施するための形態】
【００１２】
以下本発明をその好ましい実施形態に基づき図面を参照しながら説明する。
本発明の化粧用コンパクトケース及び保護シートの第１実施形態について説明する。
第１実施形態における化粧用コンパクトケース１は、図２及び図３に示すように、化粧料収容部２０を有するケース本体２と、蓋体５と、化粧料の蓋体への付着を防止する保護シート６とを備える。
本実施形態における化粧料収容部２０は、ケース本体２に形成された皿収容部２３内に化粧料収容皿３を配置して形成されている。即ち、皿収容部２３内に配置された化粧料収容皿３の内側の空間が、化粧料３１が収容される化粧料収容部２０となっている。
化粧料収容皿３は、上面が開口した深さの浅い薄型の容器であり、内部に、ファンデーション、チーク、アイシャドウ、コンシーラー等の化粧料３１が収容されている。また、化粧料収容皿３は、底部３２と周壁部３３とを有し、周壁部３３は、一端が底部３２よって閉鎖され、他端は、解放されて上方に向かって開口する開口部を形成している。化粧料収容皿３の周壁部３３は、図４に示すように、化粧料側に向けられる内面側３４と、内面３４側とは反対側に向けられる外面側３５を有している。
【００１３】
化粧料収容皿３及び皿収容部２３は、何れも平面視して矩形状（正方形又は長方形状）である。皿収容部２３は、図１に示すように、底部２４と内壁面２５とを有する。また、皿収容部２３の内壁面２５は、化粧用コンパクトケース１を正面Ｍ側から視て左右両側に位置する第１及び第２の側面部２５ａ，２５ｂと、同正面Ｍ側から視て前後に位置する前面部２５ｃ及び後面部２５ｄを有している。化粧料収容皿３は、皿収容部２３内に収容されており、その周壁部３３は、第１の側面部２５ａに対向配置される第１外壁部３３ａと、第２の側面部２５ｂに対向配置される第２外壁部３３ｂと、前面部２５ｃに対向配置される第３外壁部３３ｃと、後面部２５ｄに対向配置される第４外壁部３３ｄとを有している。図３に示すように、本実施形態における化粧料収容皿３は、底部３２が接着剤３０を介して皿収容部２３の底部２４に固定されている。蓋体５は、連結部５２において、ケース本体２に対して回動自在に連結され、回動させることにより、ケース本体２の上面を開閉自在である。連結部５２は、ケース本体２の一部を切り欠いた部分に、蓋体５から垂下させた部分を入れ、該垂下させた部分の左右をピンでケース本体２と連結させることで形成されている。連結部５２の構造は特に制限なく、例えば、蓋体５を切り欠いた部分と、ケース本体２から立ち上げた部分とを連結させてもよく、またピンを使わずに蓋体５又はケース本体２に嵌合する部分を形成してもよく、別部材から連結部を形成してもよい。化粧用コンパクトケース１の正面Ｍ側とは、化粧用コンパクトケース１を用いて化粧をする際に、使用者の胴体側に配される側であり、ケース本体２と蓋体５とを連結する連結部５２側から遠い側である。
【００１４】
本実施形態における蓋体５には、閉蓋時にケース本体２側を向く内面に鏡５１が設けられている。また、ケース本体２の、連結部５２側とは反対側に位置する正面部には、蓋体５に設けられた係着爪５３が係止される被係着部２１’を備える係着切欠き部２１が形成されており、係着切欠き部２１には、押圧により係着爪５３と被係着部２１’との係止状態を解除する係合解除ボタン２１ａが設けられている。また、本実施形態におけるケース本体２は、皿収容部２３に加え、化粧料の塗布具４を収容する塗布具収容部２２を備えている。化粧料の塗布具４としては、化粧料の種類に応じて適切なものが用いられ、例えば、化粧料３１が、ファンデーションである場合には、図１に示すような、パフと呼ばれるスポンジ状の塗布具が好ましく用いられる。
【００１５】
保護シート６は、図３及び図６（ａ）に示すように、蓋体５の閉蓋時に化粧料収容部２０の上面を覆う本体部分６１と、本体部分６１から突出する取り付け片６２とを有している。取り付け片６２は、保護シート６を、化粧用コンパクトケース１に取り付けるための部分であり、図３及び図４に示すように、基端６２ｂ近傍に設けられたヒンジ部６６付近よりも先端６２ａ側に位置する部分が、ケース本体２のシート挿入部７に挿入される部分となっている。取り付け片６２の基端６２ｂ及び先端６２ａは、図６（ａ）に示すように、取り付け片６２が本体部分６１から突出する突出方向Ａにおける、本体部分６１側の端部及び本体部分６１から遠い側の端部である。
本実施形態におけるシート挿入部７は、化粧料収容皿３と皿収容部２３の内壁面２５との間、より具体的には、図４に示すように、化粧料収容皿３の第１外壁部３３ａの外面側３５と皿収容部２３の第１の側面部２５ａとの間に形成されている。
また、シート挿入部７は、図７に示すように、ケース本体２の平面視における形状が一方向Ｙに長い形状の挿入口７１と、前記一方向Ｙと直交する方向Ｘにおける幅Ｗ３が、図４に示すように、挿入口７１の同方向Ｘの幅Ｗよりも大きい内部空間７２とを有している。挿入口７１は、スリット状をなしており、該挿入口７１が延びる前記一方向Ｙ及び前記一方向Ｙと直交する方向Ｘは、化粧用コンパクトケース１の前後方向Ｙ及び左右方向Ｘに一致している。
【００１６】
本実施形態における化粧料収容皿３の第１外壁部３３ａの外面側３５には、図４及び図５に示すように、窪み３６及び該窪み３６の上側に張り出す張り出し部３７が形成されている。そして、図４に示すように、張り出し部３７と皿収容部２３の内壁面２５との間が、シート挿入部７の挿入口７１となっており、窪み３６内の壁面３６ａと、該壁面３６ａと相対向する皿収容部２３の内壁面２５との間が、シート挿入部７の内部空間７２となっている。
保護シート６の取り付け片６２は、挿入口７１を通って内部空間７２内まで挿入されている。なお、窪み３６の上側とは、化粧料収容部２０の深さ方向において底部３２から遠い側である。また、保護シート６の本体部分６１における取り付け片６２を有する側とは反対側には、楕円形を半分にした形状の摘み部７０が形成されている。窪み３６は、張り出し部３７の下側に形成された空間であり、張り出し部３７は、窪み３６の上面を形成している。
【００１７】
本実施形態における化粧料収容皿３においては、図５に示すように、窪み３６及び張り出し部３７は、何れも化粧料収容皿３の深さ方向と直交する水平方向に長い形状を有している。また、窪み３６及び張り出し部３７は、何れも平面視矩形状の化粧料収容皿３の一辺の中央部に該一辺の全長よりも短い長さに形成されている。また、図４に示すように、張り出し部３７は、化粧料収容皿３をその高さを２等分して上部と下部とに区分したときの上部に形成され、より詳細には、化粧料収容皿３の第１外壁部３３ａ（周壁部３３）の上端部から外方に張り出すように形成されている。
【００１８】
また、保護シート６の取り付け片６２は、図６（ａ）に示すように、取り付け片６２の突出方向Ａの基端６２ｂから先端６２ａに向かって順に、ヒンジ部６６、第１折り返し部６７、第２折り返し部６８及び先端縁６９を有しており、化粧用コンパクトケース１に取り付けられた状態の取り付け片６２は、図４及び図６（ｂ）に示すように、シート挿入部７の内部空間７２に配された部分に、該取り付け片６２がその突出方向Ａの２箇所以上で折り曲げられて形成された抜け防止部６０を有している。抜け防止部６０は、保護シート６の取り付け片６２が、シート挿入部７から抜けることを防止する。なお、本実施形態における取り付け片６２の先端６２ａは、図６（ａ）に示すように、突出方向Ａと交差する方向に延びる先端縁６９からなる。
本実施形態における抜け防止部６０においては、図４に示すように、取り付け片６２が、第１折り返し部６７及び第２折り返し部６８の何れにおいても、該取り付け片６２の同じ面ａ側に折り曲げられており、取り付け片６２が、第１折り返し部６７と第２折り返し部６８との間の第２領域６４が第１折り返し部６７よりヒンジ部６６側（基端６２ｂ側）の第１領域６３と第２折り返し部６８より先端縁６９（先端６２ａ側）の第３領域６５との間に位置するように、３つ折りされている。
【００１９】
本実施形態の化粧用コンパクトケース１は、例えば、図７に示すように、皿収容部２３を有するケース本体２の皿収容部２３内に、化粧料収容皿３を収容するとともに、化粧料収容皿３を、張り出し部３７と皿収容部２３の第１側面部２５ａ（内壁面）との間に生じる挿入口７１の幅Ｗが、予め決められた所定の幅となるように接着剤３０を介して固定した後、その挿入口７１に、保護シート６の取り付け片６２を、図８に示すように、抜け防止部６０の厚みを、第１領域６３と第３領域６５との間及び第３領域６５と第２領域６４との間を密着させて小さくした状態で挿入することにより、容易に組立（製造）可能である。化粧料収容皿３は、蓋体５が連結されたケース本体２の皿収容部２３内に固定する。
【００２０】
本実施形態の化粧用コンパクトケース１によれば、保護シート６の取り付け片６２を、抜け防止部６０がシート挿入部７の内部空間７２内に位置するまで挿入すると、図４に示すように、内部空間７２内において、抜け防止部６０の第１領域６３と第３領域６５との間及び第３領域６５と第２領域６４との間に隙間が生じて、抜け防止部６０の厚みが、少なくとも挿入口７１の幅Ｗよりも大きくなり、好ましくは、図４に示すように、抜け防止部６０の厚みが内部空間７２の前記幅Ｗ３と同じとなる。
また、厚みが増大した抜け防止部６０、特に抜け防止部６０における第２折り返し部６８が、挿入口７１の近傍に位置する張り出し部３７の下側に係合する。
これによって、保護シート６が化粧用コンパクトケース１から脱離し難いようになっている。
ここでいう、張り出し部３７の下側への係合は、抜け防止部６０の一部が、常時、張り出し部３７と接触していなければならないことを意味しない。即ち、抜け防止部６０は、その一部が常時張り出し部３７の下側と接触しているものであっても良いが、保護シート６に引き抜く力が加わったときのみ、一部が張り出し部３７と接触して、保護シート６の抜けを防止できるものであっても良い。
【００２１】
このような抜け防止部６０による優れた抜け防止効果は、取り付け片６２が２箇所以上で折り曲げられている場合にも奏されるが、図４に示すように、取り付け片６２が２箇所以上で折り返されている場合により確実に奏され、更に２箇所以上で同じ面側に折り返されて３つ折り状態とされている場合に一層確実に奏される。図４に示すように、折り返し部という表現には、取り付け片が断面Ｖ字状に折り返されている場合も含まれ、折り返し部においては、取り付け片が断面Ｖ字状に折り返されていることが好ましい。
抜け防止部６０の抜け防止効果の一層の向上の点から、第３領域６５の端部６９（本実施形態においては、取り付け片６２の先端縁６９に同じ）は、図４に示すように、第１領域６３における、第１折り返し部６７から基端６２ｂ側に離間した部位Ｐに当接していることが好ましく、更に、取り付け片６２が、その当接部位Ｐと第１折り返し部６７と第２折り返し部６８とを３つの角部とする断面３角形状の筒状部を形成していることが好ましい。また、当該当接部位Ｐにおける内角の角度θ（図４参照）は、９０度超１８０度未満であることが好ましく、１００度以上１７０度以下であることが更に好ましい。
【００２２】
本実施形態に用いた保護シート６は、本発明の保護シートの一実施形態であり、ケース本体２のシート挿入孔への挿入が容易であり、ケース本体２に容易に固定することができるとともに、取り付け後のシート挿入孔からの抜けも生じにくい。
【００２３】
本実施形態の化粧用コンパクトケース１を用いて化粧を行うには、蓋体５を開き、保護シート６を、ヒンジ部６６及びその近辺を回動軸にして回動させて、化粧料収容部２０の化粧料の上面を露出させる。そして、塗布具収容部２２から取り出した塗布具４や別に容易した塗布具を用いて、化粧料を、蓋体５に設けられた鏡５１を見ながら肌面に塗布する。化粧後には、保護シート６で化粧料収容部２０の上面を覆い、蓋体５を閉じる。
【００２４】
本発明における張り出し部は、窪み側の面に、抜け防止部を該窪み内から一層抜けにくくする抜け防止手段を有することが好ましい。
本実施形態の化粧用コンパクトケース１においては、斯かる抜け防止手段として、図４に示すように、張り出し部３７の張り出し方向の先端側に下向きに突出した凸部３７ａが形成されている。凸部３７ａは、張り出し部３７の長手方向の全長に亘って連続して形成されているが、張り出し部３７の長手方向における一部のみに形成されていても良い。また、凸部３７ａは、張り出し方向の先端に形成されていることが好ましい。
本実施形態によれば、張り出し部３７が斯かる凸部３７ａを有することによって、第２折り返し部６８が、張り出し部３７の下側に一層確実に係合し、その係合状態も一層安定化するため、保護シート６の抜けにくさが一層向上する。
また、図示しないが、張り出し部３７の下面を、張り出し方向の基端側が上、先端側が下になるように傾斜させることも、同様の観点から好ましい。張り出し部３７の下面を傾斜させるとともに、張り出し方向の先端側に凸部３７ａを設けても良い。
また、抜け防止手段として、張り出し部３７の下面を粗面に形成したり、張り出し部３７の下面にゴム等の摩擦抵抗を増大させる部材を設けても良い。
【００２５】
取り付け片６２のシート挿入部に挿入される部分（以下「挿入部分」という）の幅Ｗ２に一致している。
保護シート６のガタツキを防止する観点から、取り付け片６２のシート挿入部７に挿入される部分（以下「挿入部分」という）の幅Ｗ２（図１参照）は、化粧料収容皿３の窪み３６の長さＬ６（図５参照）の、好ましくは７０％以上１００％未満であり、より好ましくは８０％以上１００％未満である。
取り付け片６２の挿入部分の幅は、取り付け片６２の先端６２ａ側から基端６２ｂ側の全域に亘って一定であっても良いが、図６（ａ）に示すように一定でなくても良い。挿入部分の幅が一定でない場合、前記挿入部分の幅Ｗ２は、幅が最大となる部分の幅（最大幅）とする。
【００２６】
本実施形態で用いた保護シート６の挿入部分は、図６（ａ）及び図６（ｂ）に示すように、取り付け片６２が本体部分６１から突出する方向Ａに直交する方向Ｂ（窪み３６及び張り出し部３７の延在方向に相当する方向）の長さに関し、張り出し部３７の下側に当接する第２折り返し部６８の長さｃより、第１折り返し部６７及び先端縁６９の同方向の長さｄが短くなっている。これにより、取り付け片６２を、第１及び第２の折り返し部６７，６８で折り曲げた状態で、シート挿入部７の挿入口７１に挿入することが容易となる。
また、第２折り返し部６８の長さｃが、第１折り返し部６８の長さｄや基端６２ｂから第１折り返し部６８までの部分の長さｅより長いことにより、抜け防止部６０の係合状態が向上し、保護シート６が、ケース本体２のシート挿入部７から一層抜けにくくなる。
また、取り付け片６２の、基端６２ｂから第１折り返し部６８までの部分の同方向の長さｅも、第２折り返し部６８の長さｃよりも短くなっている。これにより、シート挿入部７の挿入口７１への挿入が一層容易となる。
なお、本実施形態における取り付け片６２は、基端６２ｂから第１折り返し部６７までの長さＬ３が、第２領域６４の長さＬ４及び第３領域の長さＬ５よりも長く、第３領域６５の長さＬ５が第２領域６４の長さＬ４以下となっている。第２領域６４の長さＬ４を第３領域６５の長さＬ５以下とすることもできる。
【００２７】
シート挿入部７の挿入口７１に保護シート６の取り付け片６２の抜け防止部６０を挿入し易くする観点、及びその抜け防止部６０を、シート挿入部７から抜けにくくする観点から、挿入口７１の幅Ｗ（図７参照）は、保護シート６の厚みの、好ましくは３．０倍以上、より好ましくは３．５倍以上、また、好ましくは６.０倍以下、より好ましくは５倍以下であり、また、好ましくは３．０倍以上６．０倍以下、より好ましくは３．５倍以上６．０倍以下である。
また、内部空間７２の幅Ｗ３は、挿入口７１の幅Ｗの好ましくは１．５倍以上、より好ましくは２倍以上であり、また、好ましくは１０倍以下、より好ましくは５倍以下であり、また、好ましくは１．５倍以上１０倍以下、より好ましくは２倍以上５倍以下である。
【００２８】
本実施形態においては、化粧料収容皿３の、張り出し部３７を設けた第１外壁部３３ａに直交する方向Ｘの長さＬ２と、同方向Ｘにおける皿収容部２３の長さＬ１とを調整することにより、挿入口７１となる隙間の幅Ｗが前述した好ましい幅となる。即ち、第１外壁部３３ａとは反対側の第２外壁部３３ｂを皿収容部２３の第２側面部２５ｂに密着させるようにして、化粧料収容皿３を皿収容部２３内に配置するだけで、挿入口７１となる隙間の幅Ｗが、予め決められた設計通りの幅となる。これにより、化粧料収容皿３を、皿収容部２３内に配置する作業の簡単化や迅速化を図ることができる。
【００２９】
本実施形態における保護シート６のヒンジ部６６は、保護シート６を構成する合成樹脂製のシートに、直線状の凹部からなる押し罫（罫線）を形成してなる。その押し罫（罫線）は、例えば、通常の金属押し刃での冷間押し、または加熱押しによって形成することができる。押し罫（罫線）は一直線に連続したものでよいが、部分的に押し罫がない部分があってもよい。また、押し罫（罫線）は、保護シートの何れの面に押し刃を押し当てて形成したものであっても良い。また、ヒンジ部６６は、合成樹脂製のシートにミシン目を形成した部分であっても良い。ヒンジ部６６は、耐久性の観点から、単純に曲げを施したものでなく押し罫を形成した部分であることが好ましい。
また、保護シート６の取り付け片６２における第１及び第２折り返し部は、それぞれ、保護シート６を構成する合成樹脂製のシートを単純に曲げを施した部分であっても良いが、第１及び第２折り返し部の１方又は双方には、直線状の凹部からなる押し罫（罫線）もしくはミシン目が形成されていることが好ましい。特に、第１折り返し部６７及び／又は第２折り返し部６８は、ミシン目で形成されていることが折り返しの形状安定性の観点から好ましい。
【００３０】
本実施形態においては、ケース本体、蓋体の鏡、連結部のピン以外の部分は、例えば、それぞれ合成樹脂の成形品である。蓋体の鏡は、その成形品に接着剤等の公知の手段により固定する。
保護シート６を形成するシートは、合成樹脂製のシートであることが好ましく、例えば、ポリエチレンテレフタレート、ポリプロピレン、ポリカーボネート等の樹脂からなるものや、これらの樹脂などで複数層に形成したもの等を用いることができる。また、保護シートは、不透明のものであっても良いが、透明であることが好ましい。
【００３１】
保護シート６を形成するシートの厚みは、特に制限されず、構成樹脂に応じて適宜の厚みとすることができる。
例えば、構成樹脂が、ポリエチレンテレフタレートやポリプロピレンである場合、保護シートを形成するシートの厚みは、取り付け片に、ある程度の剛性を持たせて、保護シートの抜け防止機能が確実に発現されるようにする観点から、好ましくは０．１ｍｍ以上、更に好ましくは０．２ｍｍ以上であり、また、肌に当たったときの感触や、シートの開閉力を良好とする観点等から、好ましくは０．４ｍｍ以下、更に好ましくは０．３ｍｍ以下である。
【００３２】
本発明における保護シート６は、取り付け片６２に、取り付け片６２における他の部位に係合して、抜け防止部６０の形態を維持する係止片８１を備えていることが好ましい。シート挿入部７の内部空間７２内における、抜け防止部６０の形態を安定化させることで、保護シート６の抜け防止効果を一層向上させることができる。
図９は、前述した構成の保護シート６に、そのような係止片８１を設けた保護シートの一変形例を示す図であり、図９に示す保護シート６Ａは、図６（ａ）に示す保護シート６における、第３領域６５の端部に係止片８１を突設するとともに、第１折り返し部６７と重なる位置にその係止片８１を係合させる係止孔８２を形成してなる。
【００３３】
図９に示す保護シート６Ａにおける係止片８１は、第３領域６５の端部の両側それぞれに係合突起８３，８３を有しており、図４に示すような形状となるように、取り付け片６２を、第１及び第２の折り返し部６７，６８で折り返すときに、係止片８１を折り曲げ部８４で折り曲げて係止孔８２に挿入することにより、係止孔８２に係合させることができる。係止片８１は、係合突起８３，８３が係止孔８２の周縁部に係合する。
取り付け片６２に、このような係止片８１を設けることにより、抜け防止部６０の形状が安定に維持される。なお、上述した保護シート６及び保護シート６Ａは、何れも、シート挿入部７の挿入口７１に挿入する際には、抜け防止部６０の厚みを、保護シート３枚分の厚みとすることができる。
係止片８１の折り曲げ部８４は、保護シート６を構成する合成樹脂製のシートを単純に曲げを施した部分であっても良いが、折り曲げ部８４には、直線状の凹部からなる押し罫（罫線）、ミシン目、厚みの途中までのスリット等の、曲がり易くするための加工が施されていることが好ましい。
【００３４】
本発明の第２実施形態について、図１０〜図１２を参照して説明する。第２実施形態に関し、特に説明しない点は、第１実施形態についての上述した説明が適宜適用される。第１実施形態と同様の点については、同様の符号を付してある。
第２実施形態の化粧料コンパクトケース１Ａにおける化粧料収容皿３Ａは、図１１に示すように、窪み３６及び張り出し部３７が、第１外壁部３３ａの外面側３５に、第１外壁部３３ａの水平方向の全長に亘るように形成されている。また、図１０に示すように、第１外壁部３３ａの外面側３５が対向する、皿収容部２３の第１側面部２５ａ（内壁面）に、化粧料収容皿３の方向に向かって突出する一対の凸部２６，２６が形成されている。
第２実施形態においても、図１２に示すように、化粧料収容皿３Ａが皿収容部２３内に固定されるとともに、保護シート６の挿入部分が、第１実施形態と同様の抜け防止部６０を有することによって、保護シート６がケース本体２に固定されるが、その際、保護シート６の挿入部分の一部が、一対の凸部２６，２６間に配置されることで、保護シート６が適切な位置に固定されるとともに、固定された保護シート６のガタツキも防止される。
【００３５】
保護シート６のガタツキを防止する観点から、取り付け片６２の挿入部分の前記幅Ｗ２（図１参照）は、一対の凸部２６，２６間の幅Ｗ１（図１０参照）の、好ましくは７０％以上１００％未満であり、より好ましくは８０％以上１００％未満である。
【００３６】
本発明の化粧用コンパクトケース及び保護シートの第３実施形態について、図１３〜図１５を参照しつつ説明する。第３実施形態について特に説明しない点は、上述した第１実施形態における化粧用コンパクトケース１及び保護シート６と同様であり、上述した説明が適宜適用される。
図１３に示す化粧用コンパクトケース１Ｂにおける保護シート６Ｂは、ケース本体２の化粧料収容部２０の上面を覆う本体部分６１と、本体部分６１から突出する取り付け片６２とを有しており、取り付け片６２は、ケース本体２に設けられたシート挿入部７の内部空間７２に配された部分に、取り付け片６２の一部が、取り付け片６２の突出方向Ａと交差する方向Ｂに曲げられて形成された抜け防止部６０Ｂを有している。
【００３７】
より具体的に説明すると、第３実施形態における保護シート６Ｂの取り付け片６２は、図１４に示すように、その突出方向Ａの先端部の両側に、突出方向Ａと直交する方向Ｂに延出する一対の環状部形成片９１，９２が形成されている。そして、その一対の環状部形成片９１，９２が、折り返し部９５において、突出方向Ａと直交する方向Ｂに折り返されて相互に連結されて環状部が形成されており、その環状部が、抜け防止部６０Ｂとなっている。抜け防止部６０Ｂは、その環状部を形成する、一対の環状部形成片９１，９２及びそれらの間に位置する中間部分９６からなる。
第３実施形態の取り付け片６２の環状の抜け防止部６０Ｂは、押し潰して厚みを小さくした状態で、シート挿入部７の挿入口７１に挿入することができる。また、シート挿入部７の内部空間７２内まで挿入されると、折り返し部９５の弾性復元力により、環状の抜け防止部６０Ｂの内側に空間が生じて厚みが回復する。
これによって、取り付け片６２がシート挿入部７から抜けることが阻止され、保護シート６Ｂが、化粧用コンパクトケース１Ｂのケース本体２から脱離しにくい。
【００３８】
図１４に示す保護シート６Ｂにおいては、スリット９３，９４を有する一対の環状部形成片９１，９２が、取り付け片６２における他の部位に係合して抜け防止部６０Ｂの形態を維持する係止片として機能する。なお、図１４に示す例では、一対の環状部形成片９１，９２を、それぞれに形成したスリット９３，９４の嵌め合わせにより連結しているが、一対の環状部形成片９１，９２の連結方法としては、任意の方法を採用することができ、例えば、一対の環状部形成片９１，９２の一方を他方に重ね、その重ねた部分を、ヒートシール、超音波シール、高周波シール、接着剤等により接合することによって連結することもできる。
また、図１３に示す第３実施形態では、取り付け片６２が、ヒンジ部６６と環状の抜け防止部６０Ｂとの間で折り返されることなくシート挿入部７に挿入されているが、図１５に示すように、取り付け片６２を、ヒンジ部６６と抜け防止部６０Ｂとの間で折り返した状態としてシート挿入部７に挿入することもできる。
また、一対の環状部形成片９１，９２は、折り返し部において折らずに、断面円弧状に折り曲げて環状にしても良い。また、一対の環状部形成片９１，９２の長さは同じであっても良い。
【００３９】
以上、本発明をその好ましい実施形態及びその変形例を示して説明したが、本発明は、上述した実施形態に制限されることなく種々変更可能である。
例えば、本発明におけるシート挿入部７の挿入口７１及び内部空間７２は、図１６（ａ）に示すように、ケース本体２の皿収容部２３の内壁面２５に、窪み３６及び該窪みの上側に張り出す張り出し部３７を形成することによって形成されたものであっても良いし、図１６（ｂ）に示すように、ケース本体２を射出成形等の型成型にて製造する際に、挿入口７１及び内部空間７２となる空洞部を形成しても良い。
【００４０】
また、取り付け片６２をその突出方向の２箇所以上で折り曲げて抜け防止部を形成する場合の取り付け片の折り曲げ方は、多様な折り曲げ方ができ、例えば、図１６（ａ）又は図１６（ｂ）に示すような折り曲げ方であっても良い。図１６（ａ）に示す化粧用コンパクトケース１Ｃの例では、抜け防止部６０Ｃを形成する第１折り返し部６７及び第２折り返し部６８の何れにおいても、取り付け片６２が、保護シート６における、化粧料収容部２０側に向けられる面ａとは反対の面ｂ側に折り返されており、図１６（ｂ）に示す化粧用コンパクトケース１Ｄの例では、抜け防止部６０Ｄを形成する第１折り返し部６７及び第２折り返し部６８のうちの、第１折り返し部６７においては、取り付け片６２が、保護シート６における、化粧料収容部２０側に向けられる面ａ側に折り返され、第２折り返し部６８においては、取り付け片６２が、保護シート６における、化粧料収容部２０側に向けられる面ａとは反対の面ｂ側に折り返されている。取り付け片６２は、その突出方向における３箇所以上で折り返されていても良い。
また、シート挿入部７の挿入口７１及び内部空間７２は、平面視矩形状の皿収容部２３や化粧料収容皿３の一辺の長さの全長に亘っていなくても良い。
【００４１】
また、化粧料収容皿は、係合突起と係合凹部との嵌合により、皿収容部内に固定されるものであっても良く、化粧料収容皿を接着剤で固定する場合でもあっても、化粧料収容皿を皿収容部内に固定する態様は種々変形可能である。また、化粧料収容皿は、皿収容部内に脱着可能に固定されるものであっても良いし、脱着不可能に固定されるものであっても良い。また、ケース本体に、皿収容部に代えて、化粧料が直接収容する凹部を形成して、その凹部を化粧料収容部としても良い。
また、ケース本体は、塗布具収容部を有しないものであっても良い。また、化粧用コンパクトケースを正面側から視て前方や後方に、保護シート取り付け用のシート挿入部７を有するものであっても良い。また、蓋体が横方向に開閉するコンパクトケースでもよい。
【００４２】
また、ケース本体は、平面視形状が、長方形状に代えて正方形や五角形、円形、楕円形、等であっても良い。また、化粧料収容皿や皿収容部も、長方形状に代えて正方形や五角形、円形、楕円形等であっても良い。
また、保護シートは、塗布具収容部２２上まで延びていてもよい。
また、一つのコンパクトケースに取り付ける保護シートは複数枚であっても良い。例えば、化粧用コンパクトケースを正面側から見たときの左右方向又は前後方向に２つの化粧料収容皿を設置し、コンパクトケースの左右もしくは前後それぞれから中央部に向かうように２枚の保護シートを取り付けても良い。また、コンパクトケースの中央部に２枚の保護シートの取り付け部を設け、２枚の保護シートを、該中央部から左右もしくは前後両側に向かうように取り付けても良い。
【００４３】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００４４】
１，１Ａ〜１Ｄ  化粧用コンパクトケース
２  ケース本体
２０  化粧料収容部
２２  塗布具収容部
２３  皿収容部
２５  内壁面
３，３Ａ  化粧料収容皿
３１  化粧料
３２  底部
３３  周壁部
３６  窪み
３７  張り出し部
４  塗布具
５  蓋体
５１  鏡
５２  連結部
６，６Ａ，６Ｂ  保護シート
６０，６０Ｂ〜６０Ｄ  抜け防止部
６１  本体部分
６２  取り付け片
６２ａ  先端
６２ｂ  基端
６３  第１領域
６４  第２領域
６５  第３領域
６６  ヒンジ部
６７  第１折り返し部
６８  第２折り返し部
６９  先端縁
７  シート挿入部
７１  挿入口
７２  内部空間
【図１】
2015226726.tif 000003
【図２】
2015226726.tif 000004
【図３】
2015226726.tif 000005
【図４】
2015226726.tif 000006
【図５】
2015226726.tif 000007
【図６】
2015226726.tif 000008
【図７】
2015226726.tif 000009
【図８】
2015226726.tif 000010
【図９】
2015226726.tif 000011
【図１０】
2015226726.tif 000012
【図１１】
2015226726.tif 000013
【図１２】
2015226726.tif 000014
【図１３】
2015226726.tif 000015
【図１４】
2015226726.tif 000016
【図１５】
2015226726.tif 000017
【図１６】
2015226726.tif 000018